【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
シートを搬送する搬送部によって搬送されるシートの先端を検知するシート検知装置において、
前記搬送部により搬送されるシートの先端が当接する複数の当接面が周方向に形成された回転自在のシート検知部材と、
前記シート検知部材の当接面の位置に基づいて前記搬送部に搬送されるシートを検知する検知手段と、
前記搬送部により搬送されるシートの先端を前記シート検知部材の当接面に当接させる待機位置に前記複数の当接面の内の１つを位置させる付勢手段と、を備え、
前記付勢手段は、
前記シート検知部材の回転軸に連結された第１回転体と、
前記第１回転体が回転すると前記当接面の数と同じ数の変速比で回転するように前記第１回転体と連結される第２回転体と、
前記複数の当接面の内の１つを前記待機位置に位置させる付勢力を前記シート検知部材に与える付勢バネと、を有し、
前記付勢バネは、前記複数の当接面の内の１つの当接面に当接されたシートに押されて前記シート検知部材が所定の回転方向に回転する時には、前記シートに対する反力となるように前記第２回転体を付勢し、前記シート検知部材の前記所定の回転方向の回転途中で、前記第２回転体に対する付勢力を、前記シート検知部材を前記所定の回転方向に回転させる方向に切替えて、前記複数の当接面の他の当接面を前記待機位置に位置させる、
ことを特徴とするシート検知装置。
【請求項２】
前記付勢バネは、一端が位置決め固定されると共に、前記第１回転体よりも回転角度の大きい前記第２回転体の回転途中で上死点を越えさせて前記他の当接面が前記待機位置に位置するように、前記第２回転体の回転中心から偏心して配置された連結部に、他端が連結される、
ことを特徴とする請求項１に記載のシート検知装置。
【請求項３】
シートを搬送する搬送部によって搬送されるシートの先端を検知するシート検知装置において、
前記搬送部により搬送されるシートの先端が当接する複数の当接面が周方向に形成され、前記複数の当接面の内の待機位置に位置した１つの当接面にシートの先端が当接して回転するシート検知部材と、
前記シート検知部材の前記複数の当接面の位置に基づいて前記搬送部に搬送されるシートを検知する検知手段と、
前記シート検知部材の回転軸に連結された第１回転体と、
前記第１回転体が回転すると前記当接面の数と同じ数の変速比で回転するように前記第１回転体と連結される第２回転体と、
前記複数の当接面の内の１つの当接面が前記待機位置に位置するように、前記第２回転体を付勢する付勢部材と、を備えた、
ことを特徴とするシート検知装置。
【請求項４】
前記第２回転体は、回転中心から偏心して配置された連結部を有し、
前記付勢部材は、一端が位置決め固定され、他端が前記連結部に連結される、付勢バネである、
ことを特徴とする請求項３に記載のシート検知装置。
【請求項５】
前記第１回転体は第１ギアであり、前記第２回転体は前記第１ギアと噛み合う第２ギアである、
ことを特徴とする請求項１から４のいずれか１項に記載のシート検知装置。
【請求項６】
請求項１から５のいずれか１項に記載のシート検知装置と、
前記シート検知装置によって検知されるシートに画像を形成する画像形成部と、を備える、
ことを特徴とする画像形成装置。
【手続補正２】
【補正対象書類名】明細書
【補正対象項目名】０００７
【補正方法】変更
【補正の内容】
【０００７】
一方、従来のセンサフラグ５２３は、搬送ローラ対５１８，５１９を通過したシートＳの先端が当接部に当接するとシートＳに押されて回転し、シートＳの後端が当接部から離間すると、逆回転して待機位置に戻るように構成されている。そのため、紙間距離として必要な距離は、先行シートの後端がセンサフラグ５２３の当接部を通過した位置から後続シートの先端が当接部と当接する待機位置までの距離Ｄ１と、その間に後続シートが搬送される距離Ｄ２とを足した距離となる（図２４（ｂ）参照）。
【手続補正３】
【補正対象書類名】明細書
【補正対象項目名】００１０
【補正方法】変更
【補正の内容】
【００１０】
本発明は、シートを搬送する搬送部によって搬送されるシートの先端を検知するシート検知装置において、前記搬送部により搬送されるシートの先端が当接する複数の当接面が周方向に形成された回転自在のシート検知部材と、前記シート検知部材の当接面の位置に基づいて前記搬送部に搬送されるシートを検知する検知手段と、前記搬送部により搬送されるシートの先端を前記シート検知部材の当接面に当接させる待機位置に前記複数の当接面の内の１つを位置させる付勢手段と、を備え、前記付勢手段は、前記シート検知部材の回転軸に連結された第１回転体と、前記第１回転体が回転すると前記当接面の数と同じ数の変速比で回転するように前記第１回転体と連結される第２回転体と、前記複数の当接面の内の１つを前記待機位置に位置させる付勢力を前記シート検知部材に与える付勢バネと、を有し、前記付勢バネは、前記複数の当接面の内の１つの当接面に当接されたシートに押されて前記シート検知部材が所定の回転方向に回転する時には、前記シートに対する反力となるように前記第２回転体を付勢し、前記シート検知部材の前記所定の回転方向の回転途中で、前記第２回転体に対する付勢力を、前記シート検知部材を前記所定の回転方向に回転させる方向に切替えて、前記複数の当接面の他の当接面を前記待機位置に位置させる、ことを特徴とする。
【手続補正４】
【補正対象書類名】明細書
【補正対象項目名】００１１
【補正方法】変更
【補正の内容】
【００１１】
また、本発明は、シートを搬送する搬送部によって搬送されるシートの先端を検知するシート検知装置において、前記搬送部により搬送されるシートの先端が当接する複数の当接面が周方向に形成され、前記複数の当接面の内の待機位置に位置した１つの当接面にシートの先端が当接して回転するシート検知部材と、前記シート検知部材の前記複数の当接面の位置に基づいて前記搬送部に搬送されるシートを検知する検知手段と、前記シート検知部材の回転軸に連結された第１回転体と、前記第１回転体が回転すると前記当接面の数と同じ数の変速比で回転するように前記第１回転体と連結される第２回転体と、前記複数の当接面の内の１つの当接面が前記待機位置に位置するように、前記第２回転体を付勢する付勢部材と、を備えた、ことを特徴とする。
【手続補正５】
【補正対象書類名】明細書
【補正対象項目名】００７８
【補正方法】変更
【補正の内容】
【００７８】
９，９Ａ，９Ｂ    シート搬送部
１４    画像形成部
１５ａ    シート搬送路
１８    搬送コロ（搬送部）
１９    搬送ローラ（搬送部）
２３    センサフラグ（シート検知部材）
２３Ａ，２３Ｂ，２３Ｃ，２３Ｄ    遮光部（フラグ部）
２３ａ，２３ｂ，２３ｃ，２３ｄ    当接面
２３ｅ    センサフラグ回転軸
２４    センサフラグギア（第１回転体）
２５    センサフラグ駆動部材（第２回転体）
２５ａ    ギア部
２５ｃ    連結部
２７    センサフラグバネ（付勢バネ）
３３    検知センサ（検知手段）
１００，１００Ａ，１００Ｂ    画像形成装置
２００，２００Ａ，２００Ｂ    シート検知部（シート検知装置）
２２０    付勢部（付勢手段）
Ｓ    シート
【手続補正６】
【補正対象書類名】図面
【補正対象項目名】図２３
【補正方法】変更
【補正の内容】
【図２３】
2012193020.tif 000001
【手続補正７】
【補正対象書類名】図面
【補正対象項目名】図２４
【補正方法】変更
【補正の内容】
【図２４】
2012193020.tif 000002